(57)【要約】  浮力体（２）と、糸通し環（３）を備える釣り用浮子（１）において、浮力体（２）は、浮力体（２）を上下に貫く中心軸（４）を回転中心とする回転体を構成するとともに、浮力体（２）の下面には、上方に凹入する凹部（５）が形成され、凹部（５）は、回転体の回転中心において最も深く、回転体の回転中心から離れるに従って浅く形成され、糸通し環（３）は、浮力体（２）に支持されるとともに、回転体の回転中心において、浮力体（２）の上面から突出する位置に取り付けられている。
2018074067.tif 000002
【特許請求の範囲】
【請求項１】
浮力体と、糸通し環を備える釣り用浮子において、
前記浮力体は、前記浮力体を上下に貫く中心軸を回転中心とする回転体を構成するとともに、前記浮力体の下面には、上方に凹入する凹部が形成され、
前記凹部は、前記回転体の回転中心において最も深く、前記回転体の回転中心から離れるに従って浅く形成され、
前記糸通し環は、前記浮力体に支持されるとともに、前記回転体の回転中心において、前記浮力体の上面から突出する位置に取り付けられている、
釣り用浮子。
【請求項２】
前記浮力体の下方に、前記浮力体に支持される重錘を備える、
ことを特徴とする請求項１に記載の釣り用浮子。
【請求項３】
前記浮力体を上下方向に貫く軸部材を備え、
前記軸部材の上端には前記糸通し環が固定され、前記軸部材の下端には前記重錘が固定されている、
ことを特徴とする請求項２に記載の釣り用浮子。
【請求項４】
前記浮力体は、前記軸部材を挿し通す貫通穴を備えるとともに、前記貫通穴と前記軸部材の間に隙間を有する、
ことを特徴とする請求項３に記載の釣り用浮子。
【請求項５】
前記重錘は、錘片を出し入れ可能に収容する錘片収容部を備える、
ことを特徴とする請求項２ないし請求項４のいずれか一項に記載の釣り用浮子。
【発明の詳細な説明】
【技術分野】
【０００１】
本発明は、釣り用浮子に関するものである。
【背景技術】
【０００２】
浮き釣り仕掛けは、固定仕掛けと遊動仕掛けの２種に大別される。固定仕掛けは釣り用浮子が釣り糸に固定されている仕掛けである。遊動仕掛けは、釣り用浮子が釣り糸に移動自在に取り付けられている仕掛けである。一般的な遊動仕掛けでは、釣り糸にウキ止め糸やシモリ玉を取り付けて、釣り用浮子が釣り糸に対して移動する範囲（釣り針が釣り用浮子から垂れ下がる深さ）を制限している。このような遊動仕掛けは、半遊動仕掛けと呼ばれる。ウキ止め糸やシモリ玉を使用しない遊動仕掛け、つまり釣り用浮子が移動する範囲が制限されない遊動仕掛けは、全遊動仕掛けと呼ばれる。全遊動仕掛けは、釣り針を沈降させながら、対象魚の反応を探ることができるので、タナ（対象魚が存在する領域）の深さが解らない場合に好適である。【０００３】
全遊動仕掛けには、例えば、中通し浮子、水平浮子、管付き浮子など各種の浮子が使用されるが、一般的には、中通し浮子が使用される（特許文献１，２）。中通し浮子は、浮子の本体（浮力体）を上下に貫通する中通し管に釣り糸を通して使用される釣り用浮子である。全遊動仕掛けでは、釣り針に取り付けられた餌に魚が食い付くまでは、釣り糸は中通し管の中を自在に通過することができる。この時、釣り糸は、文字通り「全遊動」の状態にある。しかし、餌に魚が食い付いて、魚が餌を持ち去ろうとすると、中通し浮子の姿勢が変化する。つまり、餌に食い付いた魚が釣り糸を引っ張ると、それまで正立していた中通し浮子が転倒する。中通し浮子が転倒すると、釣り糸が中通し管の内面に接触して両者の間に摩擦が生じ、中通し浮子は釣り糸に引っ張られる。その結果、中通し浮子は魚に引かれて水面下に沈む。釣り人は浮子が水面下に沈むのを見て、いわゆる「合わせ」を行う。つまり、釣り人は釣り糸を引っ張って、釣り針を引き上げて、釣り針を魚の口に引っ掛ける。
【先行技術文献】
【特許文献】
【０００４】
【特許文献１】登録実用新案第３０７０５６１号公報
【特許文献２】特開２０００−７８９４２号公報
【発明の概要】
【発明が解決しようとする課題】
【０００５】
前述したように、中通し浮子を使用する従来の遊動釣法では、釣り人は釣り用浮子の挙動を視認して、その後に「合わせ」を行うが、釣り用浮子の挙動は餌に魚が食い付いた後、少し遅れて生じる。そのため、未熟な釣り人が、釣り用浮子の挙動を視認したタイミングで「合わせ」を行うと、「合わせ」が遅れて、その結果、魚を取り逃がすことがある。【０００６】
そのため、釣り用浮子の挙動を視認して、「合わせ」を行うことを嫌う釣り人がいる。つまり、餌に魚が食い付いた時の「引き」を直接的に体感して、「引き」を体感したタイミングで「合わせ」を行うことを好む釣り人がいる。しかしながら、中通し浮子を使用する従来の遊動仕掛けでは、中通し浮子が一種の緩衝材として作用するので、釣り人が「引き」を体感しにくいという問題がある。【０００７】
本発明は、このような事情に鑑みてなされたものであり、遊動釣法に適合した釣り用浮子であって、魚の「食い付き」によって生じる「引き」が釣り人に伝わりやすい釣り用浮子を提供するものである。
【課題を解決するための手段】
【０００８】
上記課題を解決するために、本発明に係る釣り用浮子は、浮力体と、糸通し環を備える釣り用浮子において、前記浮力体は、前記浮力体を上下に貫く中心軸を回転中心とする回転体を構成するとともに、前記浮力体の下面には、上方に凹入する凹部が形成され、前記凹部は、前記回転体の回転中心において最も深く、前記回転体の回転中心から離れるに従って浅く形成され、前記糸通し環は、前記浮力体に支持されるとともに、前記回転体の回転中心において、前記浮力体の上面から突出する位置に取り付けられているものである。【０００９】
前記浮力体の下方に、前記浮力体に支持される重錘を備えるようにしても良い。【００１０】
前記浮力体を上下方向に貫く軸部材を備え、前記軸部材の上端には前記糸通し環が固定され、前記軸部材の下端には前記重錘が固定されているようにしても良い。【００１１】
前記浮力体は、前記軸部材を挿し通す貫通穴を備えるとともに、前記貫通穴と前記軸部材の間に隙間を有するようにしても良い。【００１２】
前記重錘は、錘片を出し入れ可能に収容する錘片収容部を備えるようにしても良い。
【発明の効果】
【００１３】
本発明によれば、釣り用浮子において、浮力体の上面から突出する位置に糸通し環を取り付けて、該糸通し環に釣り糸を通すようにしたので、本発明に係る釣り用浮子を使用して全遊動仕掛けを構成すると、魚が釣り糸を引く力を直接的に釣竿に伝えることができる。そのため、釣り人が魚の「引き」を直接的に体感できるので、釣り人は遅滞なく「合わせ」を行うことができる。その結果、従来のように釣り用浮子の挙動（浮沈）を目視することによって、釣り人が魚の「引き」を知って、「合わせ」を行う場合に比べて、魚を逃がすことが少なくなる。
【図面の簡単な説明】
【００１４】
【図１】本発明の第１の実施形態に係る釣り用浮子の構造と構成を示す説明図であって、図１（ａ）は釣り用浮子の平面図であり、図１（ｂ）は釣り用浮子の側面図であり、図１（ｃ）は釣り用浮子を、図１（ａ）においてＡ−Ａ’線で示す平面で切断した断面図である。
【図２】図１に記載の釣り用浮子の作用を説明する図であって、図２（ａ）は釣り用浮子の初期状態を示す図であって、浮力体の大部分が水面上に露出した状態を示す図であり、図２（ｂ）は錘片収容部に収容される錘片の数量を増やした状態を示す図であって、浮力体の大部分が水面下に没した状態を示す図である。
【図３】図１に記載の釣り用浮子を使用する全遊動仕掛けの作用を説明する図であって、図３（ａ）は餌に魚が食い付く前の状態を示す図であり、図３（ｂ）は餌に魚が食い付いた後の状態を示す図である。
【図４】本発明のその他の実施形態に係る釣り用浮子を構成する浮力体の形状を示す図１（ｃ）に対応する断面図であって、図４（ａ）は第２の実施形態に、図４（ｂ）は第３の実施形態に、図４（ｃ）は第３の実施形態に、図４（ｄ）は第４の実施形態に、それぞれ係る浮力体の断面図である。
【図５】本発明の実証試験に供する実験装置の構成を示す構成図であって、（ａ）は実験装置の全体構成図であり、（ｂ）はアタリ再現装置の構成図であり、（ｃ）は釣り用浮子拘束板の構成図である。
【発明を実施するための形態】
【００１５】
（第１の実施形態）
図１は、本発明の第１の実施形態に係る釣り用浮子１の構造と構成を示す説明図であって、図１（ａ）は釣り用浮子１の平面図であり、図１（ｂ）は釣り用浮子１の側面図であり、図１（ｃ）は釣り用浮子１を、図１（ａ）においてＡ−Ａ’線で示す平面で切断した断面図である。図１（ａ）〜（ｃ）に示すように、釣り用浮子１は、浮力体２と、浮力体２の上面に突出する糸通し環３を備えている。
【００１６】
浮力体２は、釣り用浮子１に浮力を付与する部材であり、本実施形態では、発泡プラスチックを素材とする中実体で構成されている。図１（ａ）に示すように、浮力体２は平面形において円形をなしていて、図１（ｃ）に示す中心軸４を回転中心とする回転体を構成している。また、図１（ｃ）に示すように、浮力体２の下面には凹部５が形成されている。凹部５は、中心軸４において最も深くされ、中心軸４から離隔するにしたがって浅くされている。つまり、浮力体２は、全体として釣鐘状に構成されている。浮力体２は、このような形状を備えているので、水中において、浮力体２が下方に移動する時、つまり浮力体２が沈下する時の抵抗が大きくなる。そのため、釣り用浮子１は、少なくとも従来の紡錘形の釣り用浮子に比べて、沈みにくいという特徴を備えている。
【００１７】
図１（ｃ）に示すように、浮力体２には、浮力体２の中心において浮力体２を上下に貫く貫通孔６が形成されている。貫通孔６は、図示しない横断面において円形をなす丸孔であって、貫通孔６の中心軸が浮力体２の中心軸４と一致するように配置されている。また、貫通孔６は、浮力体２が凹部５を下にして着水した時に、凹部５内の空気を抜く空気抜きとして機能する。そのため、凹部５内に空気が溜まることがないので、キャストされた釣り用浮子１が浮力体２の下面を下にして着水した時の、釣り用浮子１の姿勢が安定する。
【００１８】
また、釣り用浮子１は、浮力体２を上下方向に差し貫く軸部材７を備えている。軸部材７はステンレス鋼製の丸棒であって、貫通孔６に差し込まれている。そして、軸部材７の上端には、糸通し環３が固定され、軸部材７の下端には、錘片収容部８が取り付けられている。なお、軸部材７の直径は、貫通孔６の直径より小さくされている。そのため、貫通孔６と軸部材７の間に隙間が生じるので、貫通孔６に軸部材７を差し込んでも、貫通孔６の空気抜きとしての機能は維持される。また、軸部材７は貫通孔６の中で、中心軸４回りに自在に回転することができる。
【００１９】
また、糸通し環３と錘片収容部８の直径は、貫通孔６の直径より大きくされ、軸部材７が貫通孔６から抜けないように構成されている。糸通し環３と錘片収容部８の直径をこのように設定しているので、糸通し環３と錘片収容部８が軸部材７に固定されている限り、糸通し環３と錘片収容部８が浮力体２から外れることがない。このようにして、糸通し環３と錘片収容部８は浮力体２に支持される。また糸通し環３の下端と錘片収容部８の間の間隔（軸部材７の糸通し環３の下端と錘片収容部８の間にある部分の長さ）は、貫通孔６よりも僅かに長くされている。そのため、前記長さの差の範囲ではあるが、糸通し環３と錘片収容部８を上下方向に移動させることができる。
【００２０】
また、錘片収容部８は、基部９とキャップ１０とで構成される。基部９とキャップ１０は、いずれもステンレス鋼で構成される。基部９は軸部材７の下端に結合され、キャップ１０は基部９に着脱自在に取り付けられる。また、錘片収容部８の内部には、錘片１１が収容される。錘片１１は鉛板の小片である。錘片収容部８と錘片１１は、釣り用浮子１の浮力と重心位置を調整する重錘として機能する。また、キャップ１０を取り外せば、錘片収容部８に収容された錘片１１の全部又は一部を取り出すことができる。また、錘片収容部８に錘片１１を追加することができる。つまり、キャップ１０を取り外せば、錘片収容部８に収容される錘片１１の数量を増減することができる。このように、錘片１１の数量を増減することによって、釣り用浮子１の浮力と重心位置を調整することができる。
【００２１】
さて、全遊動釣法において釣り用浮子１を使用する場合、浮力体２のほぼ全体が水中に沈み、糸通し環３だけが水面に出るように釣り用浮子１の重量を調節する必要がある。釣り用浮子１の重量が軽すぎる場合は、浮力体２の多くの部分が水面上に露出する。このような状態では、釣り用浮子１の姿勢が安定しない。つまり、釣り用浮子１が転覆しやすくなるので好ましくない。逆に、釣り用浮子１の重量が浮力よりも大きければ、釣り用浮子１は自身の重量によって水没する。
【００２２】
また、釣り用浮子１の適切な重量は、取り付ける仕掛けの重さや、使用する海面の水温、塩分濃度等によって、変化する。そのため、釣り用浮子１を製造する際に、釣り用浮子１の重量を最適化することはできない。そこで、前述したように、釣り用浮子１は、錘片収容部８に収容される錘片１１の数量を増減可能にして、釣り用浮子１全体の重量を調整できるようにしている。例えば図２（ａ）に示すように、初期状態において、浮力体２の多くの部分が、水面上（水線ＷＬの上）に露出している場合は、錘片収容部８に錘片１１を追加して、釣り用浮子１全体の重量を調整する。つまり、図２（ｂ）に示すように、浮力体２の全体が水没して、糸通し環３の中心が水面（水線ＷＬ）に位置するようになるまで、錘片収容部８の内部に錘片１１を追加する。以上の手順によって、糸通し環３だけが水面に出るように釣り用浮子１の重量を調節することができる。
【００２３】
最後に、釣り用浮子１の作用と効果について説明する。前述したように、釣り用浮子１は、主として全遊動仕掛けを構成する浮子として使用される。図３（ａ）に示すように、全遊動仕掛け１２は、釣り糸１３と、釣り用浮子１と、錘１４と、ハリス１５と、釣り針１６とで、構成される。また、釣り糸１３は、釣り竿１７に固定されたリール１８に巻き取られていて、図示しない釣り人によって、適宜繰り出される。リール１８から繰り出された釣り糸１３は、釣り竿１７の竿先を通って、釣り用浮子１に延びていて、釣り用浮子１の糸通し環３を通って、更に水中に延びている。水中にある釣り糸１３の先端には錘１４が取り付けられ、錘１４の先にはハリス１５が取り付けられていて、ハリス１５は水中に垂れ下がっている。そして、ハリス１５の先端には釣り針１６が取り付けられていて、釣り針１６には、餌１９が付けられている。
【００２４】
全遊動仕掛け１２によれば、釣り針１６と餌１９の深さを自在に変更することができる。すなわち、リール１８から釣り糸１３を繰り出せば、釣り針１６と餌１９は下降する（深場に沈む）。釣り糸１３をリール１８に巻き取れば、釣り針１６と餌１９は上昇する（浅場に浮き上がる）。このように、釣り針１６と餌１９の深さを自在に変更することができるので、全遊動仕掛け１２は、いわゆるタナ、つまり魚２０が遊泳する層の深さが分からない場合に都合が良い。
【００２５】
図３（ｂ）に示すように、餌１９に魚２０が食い付くと、魚２０が餌１９を咥えたまま逃げようとするので、ハリス１５に張力が生じる。ハリス１５に生じた張力は、錘１４を介して、釣り糸１３に伝えられる。このようにして、釣り糸１３は魚２０に引かれる。前述したように、糸通し環３に挿通された釣り糸１３は糸通し環３に対して自由に移動できるので、つまり、糸通し環３が釣り糸１３の移動を拘束したり、抑制したりすることがないので、魚２０が釣り糸１３を引く力は、釣り竿１７に直接伝わる。そのため、釣り竿１７を保持している図示しない釣り人は、魚２０が釣り糸１３を引く力（いわゆる「引き」）を直接的に体感することができる。つまり、釣り人は魚２０が釣り竿１７を倒して、釣り竿１７の先端を水中に引き込もうとする力を直接的に体感することができる。そして、釣り人は「引き」を感じることによって、魚２０が餌１９に食い付いたことを知って、釣り針１６を引き寄せて、釣り針１６に魚２０を引っ掛ける動作（いわゆる「合わせ」）を行う。このように、釣り用浮子１を使用する全遊動仕掛け１２においては、釣り人が魚２０の「引き」を直接的に感じることができるので、遅滞なしに「合わせ」を行うことができる。そのため、従来の釣り用浮子を使用する場合に比べて、「合わせ」が遅れて魚２０を取り逃がすことが少ない。
【００２６】
また、糸通し環３に挿通された釣り糸１３は糸通し環３に対して自由に移動できるので、魚２０が餌１９を引く力が釣り糸１３に伝わっても、その力が糸通し環３を介して釣り用浮子１に伝わることがない。そのため、釣り用浮子１が魚２０に引かれて動くことがない。あるいは、釣り用浮子１が魚２０に引かれて沈むことがない。また、前述したように、浮力体２は下面に凹部５を備えて、浮力体２が沈下する時の抵抗が大きくなるようにしている。そのため、魚２０が釣り糸１３を引く力の一部が浮力体２に伝わった場合でも、釣り用浮子１は容易には沈まない。つまり、魚２０が釣り糸１３を引いても、釣り用浮子１は沈むことなく、水面（水線ＷＬ）に対して元の位置に留まる。そのため、釣り糸１３だけが水中に引き込まれる。
【００２７】
（第２の実施形態）
釣り用浮子１の形状と形態、特に、浮力体２の形状は第１の実施形態に示されたものには限定されない。図４（ａ）に示すように、浮力体２を上下方向に伸ばして（長くして）、浮力体２の上部を細長くするとともに、凹部５が深くなるようにしても良い。
【００２８】
（第３の実施形態）
浮力体２は、図４（ｂ）に示すように形成されても良い。つまり、浮力体２を上下方向に縮める（短くする）とともに、浮力体２の上面の曲率半径Ｒを大きくして、さらに凹部５を浅くして、浮力体２を全体に偏平に構成しても良い。
【００２９】
（第４の実施形態）
浮力体２は、図４（ｃ）に示すように形成されても良い。つまり、浮力体２を全体として更に扁平に構成して、浮力体２の下面の凹部５をごく浅くしても良い。
【００３０】
（第５の実施形態）
浮力体２は、図４（ｄ）に示すように形成されても良い。つまり、浮力体２の上面の曲率半径Ｒを更に大きくして、浮力体２の上面の傾斜を更になだらかにするとともに、浮力体２の側面に第２の凹部２１が形成されるようにしても良い。
【００３１】
以上、説明したように、上記各実施形態においては、釣り用浮子１に、浮力体２の上面から突出するように糸通し環３を取り付けている。また、釣り用浮子１を使用して全遊動仕掛け１２を構成する場合には糸通し環３に釣り糸１３が通される。そのため、釣り糸１３は、常に、糸通し環３に対して自在に進退するので、魚２０が釣り糸１３を引く力、つまり魚２０の「引き」が、直接的に釣り竿１７に伝わる。その結果、釣り人は魚２０の「引き」を直接的に体感できる。
【００３２】
また、浮力体２の下面には凹部５が形成されていて、そのために、水中において浮力体２が下方に移動する（つまり、沈む）時に、比較的大きな抵抗が生じる。その結果、釣り用浮子１の下方への移動（沈降）が抑制される。その結果、魚２０が釣り糸１３を引いた場合に、釣り用浮子１は沈み難い。そのため、魚２０が釣り糸１３を引いた場合に、釣り糸１３だけが水中に引き込まれる。
【００３３】
（実証実験）
釣り用浮子１の性能を従来品と比較するために、比較例Ａ〜Ｄと発明品について実証試験を行った。比較例Ａは従来技術に係る環付き浮子であって、釣り糸を通す環を下端に備えることを特徴としている。つまり、比較例Ａは糸通し環を下にした状態で水面に浮かぶように構成されている。比較例Ｂ，Ｃは従来技術に係る中通し浮子であって、釣り糸を通す中通し穴が浮体の中心を貫通していることを特徴としている。また、比較例Ｂ，Ｃは、水面に浮かべた時に中通し穴が水面に対して垂直になるように構成されている。比較例Ｄは従来技術に係る中通し浮子であって、水面に浮かべた時に中通し穴が水面に対して平行に、つまり水平になるように構成されている。また、発明品は、第１の実施形態に係る釣り用浮子１である。
【００３４】
（実験装置）
図５（ａ）〜（ｃ）は実験装置３０の構成を示す説明図である。図５（ａ）に示すように、実験装置３０は、水槽３１と竿先３２とアタリ再現装置３３を備えている。水槽３１は長さ３．２ｍ、幅１．２ｍの角型水槽である。水槽３１の正面、つまり図５（ａ）に描かれた面は透明な材料で構成されている。水槽３１には清水が、水深０．９２ｍになるように漲水されている。なお、水槽の幅とは、図５（ａ）において紙面に垂直な方向で測った水槽３１の内法寸法である。竿先３２は、市販の釣竿の先端部分であって、仰角５１°で固定されている。また、竿先３２の先端の水槽３１の水面から計った高さは１．１ｍである。竿先３２の先端には釣り糸３４が結び付けられている。釣り糸３４は水槽３１の水面と、実験対象である釣り用浮子３５を通って、水槽３１の水中に延びている。そして、釣り糸３４の先端は、アタリ再現装置３３に結び付けられている。なお、釣り用浮子３５と釣り用浮子３５の下にある仕掛けの重量、つまり、釣り用浮子３５に負荷される重量は、釣り用浮子３５の浮力と釣り合うように調整されている。要するに、釣り用浮子３５に負荷される重量は、図５（ａ）に示す状態において、釣り用浮子３５の全体が水面下に位置するように調整されている。釣り用浮子３５に負荷される重量は、釣り用浮子３５の余浮力あるいは残浮力が０になるように調整されている。
【００３５】
アタリ再現装置３３は、魚のアタリに起因する釣り針の挙動を再現する装置である。図５（ｂ）に示すように、アタリ再現装置３３は、保持錘３３ａ、保持ライン３３ｂ、浮力体３３ｃ、負荷ライン３３ｄ、負荷錘３３ｅ、補助ライン３３ｆを備えている。保持錘３３ａは水槽３１の底面に着底して、アタリ再現装置３３を水槽３１内の特定の位置に保持する錘である。保持錘３３ａには、保持ライン３３ｂの一方の端が結び付けられている。保持ライン３３ｂの他方端は浮力体３３ｃに結び付けられている。浮力体３３ｃは水槽３１に漲水された清水から浮力を受けるので、保持ライン３３ｂは浮力体３３ｃに引っ張られる。保持ライン３３ｂには、保持錘３３ａと浮力体３３ｃ間の中間点３３ｇにおいて、釣り糸３４と負荷ライン３３ｄが結び付けられている。負荷ライン３３ｄの先端には負荷錘３３ｅが取り付けられている。負荷錘３３ｅには補助ライン３３ｆが取り付けられていて、補助ライン３３ｆの先端は図示しない支持点に支持されている。なお、図５（ｂ）において実線で示す状態においては、負荷錘３３ｅは補助ライン３３ｆで吊り下げられているので、負荷錘３３ｅの重量は、浮力体３３ｃには負荷されない。
【００３６】
補助ライン３３ｆの先端を支持点から外すと、負荷錘３３ｅは補助ライン３３ｆによる支持力を失うので、水槽３１の水中で自由落下する。負荷錘３３ｅが落下すると、中間点３３ｇは負荷錘３３ｅに引っ張られて一旦、下方に移動する。その後、負荷錘３３ｅは浮力体３３ｃの浮力によって引き上げられるので、中間点３３ｇは上方に移動する。このように、補助ライン３３ｆの先端を支持点から外すと、中間点３３ｇが上下動する。この中間点３３ｇの上下動によって、魚のアタリによる釣針の上下動を模擬することができる。このように、アタリ再現装置３３によれば、魚のアタリを再現することができる。なお、負荷ライン３３ｄの長さは約１００ｍｍであり、負荷錘３３ｅは２号錘であって質量は約７．５ｇである。
【００３７】
図５（ｃ）は、釣り用浮子拘束板３６を竿先３２側から見た平面図である。図５（ｃ）に示すように、釣り用浮子拘束板３６は中央に糸通しスリット３６ａが形成された平板である。実験装置３０に釣り用浮子拘束板３６を取り付けて、釣り用浮子３５の竿先３２寄りの端部に当接させて、釣り糸３４が糸通しスリット３６ａを通るようにすれば、釣り用浮子３５のＸ軸方向の移動は釣り用浮子拘束板３６によって拘束されるので、釣り用浮子３５は竿先３２に近づく方向に移動することはできない。一方、釣り糸３４のＸ軸方向及びＺ軸方向の移動は釣り用浮子拘束板３６によっては拘束されない。後述するように、実証試験は、実験装置３０に釣り用浮子拘束板３６を取り付けない状態と、実験装置３０に釣り用浮子拘束板３６を取り付けた状態で実施した。
【００３８】
なお、以下の説明においては、図５（ａ）に示す直交座標系を使用する。すなわち、水槽３１の長さ方向にＸ軸を取り、竿先３２からアタリ再現装置３３に向かう方向をＸ軸の正の方向とする。水槽３１の幅方向にＹ軸を取り、図５（ａ）の紙面の表から裏に向かう方向をＹ軸の正の方向とする。水槽３１の深さ方向にＺ軸を取り、下から上に向かう方向をＺ軸の正の方向とする。
【００３９】
（実験手順）
実証実験は図５（ａ）に示す実験装置３０に前述した比較例Ａ〜Ｄと発明品を取り付けて、その後に、アタリ再現装置３３を作動させて行う。つまり、補助ライン３３ｆを支持点から外して、負荷錘３３ｅを自由落下させ、その際の竿先３２と釣り糸３４と釣り用浮子３５の挙動を計測する。具体的には、竿先３２の先端から釣り糸３４の着水位置までのＸ軸方向長さＸ１、竿先３２の先端から釣り用浮子３５までのＸ軸方向長さＸ２、竿先３２の先端の振幅Ｒａ、釣り用浮子３５のＺ軸方向、つまり上下方向の振幅Ｚａ、釣り用浮子３５のＸ軸方向、つまり前後方向の振幅Ｘａを計測した。なお、竿先３２の先端の振幅Ｒａは、ＸＺ平面内において竿先３２の軸と直交する方向で計測した。
【００４０】
（実験１）
最初に、釣り用浮子３５の移動を拘束しない状態で実験を行った。つまり、実験装置３０に後述する釣り用浮子拘束板３６を取り付けない状態で実験を行った。その結果を表１に示す。なお、この実験においては、Ｘ軸方向長さＸ１，Ｘ２については、アタリ再現装置３３を作動させる前と、アタリ再現装置３３を作動させて負荷錘３３ｅが静止した後に計測を行った。表１においては、アタリ再現装置３３を作動させる前に計測したＸ軸方向長さＸ１，Ｘ２をＸ１，Ｘ２で示し、アタリ再現装置３３を作動させて負荷錘３３ｅが静止した後に計測したＸ軸方向長さＸ１，Ｘ２をＸ１’，Ｘ２’で示している。
【００４１】
【表１】
2018074067.tif 000003
【００４２】
（実験２）
次に、釣り用浮子３５のＸ軸方向の移動を拘束した状態で実験を行った。つまり、図５（ａ）において一点鎖線で示すように、釣り用浮子拘束板３６を釣り用浮子３５の竿先３２寄りの端部に当接させて実験を行った。その結果を表２に示す。
【００４３】
【表２】
2018074067.tif 000004
【００４４】
表１及び表２において明らかなように、発明品によれば、比較例Ａ〜Ｄのいずれよりも、竿先３２の先端の振幅Ｒａが大きくなることが分かる。竿先３２の先端の振幅Ｒａが大きいと言うことは、魚の「引き」によって竿先３２が大きく振動することを意味する。そのため、発明品によれば、比較例Ａ〜Ｄのいずれよりも、釣り人が魚の「引き」を強く体感することができる。
【００４５】
このように、釣り用浮子１は、遊動釣法に適合している。釣り用浮子１を使って全遊動仕掛け１２を構成すれば、魚２０の「食い付き」によって生じる「引き」を、遅滞なく確実に釣り人に伝えることができる。そのため、未熟な釣り人であっても、タイミング良く「合わせ」を行うことができる。
【００４６】
なお、本発明の技術的範囲は、上記各実施形態によっては限定されない。本発明は特許請求の範囲に記述された技術的思想の範囲の限りにおいて、自由に変形、応用、又は改良して実施することができる。
【００４７】
例えば、図１及び図４において示された浮力体２の形状は例示である。浮力体２の形状はこれらによっては限定されない。浮力体２の寸法も任意に選択される。浮力体２の寸法は、主として、釣りの対象となる魚２０の大きさによって決定される。対象となる魚２０が大きければ、全遊動仕掛け１２も大きくなり、浮力体２も大きくなる。
【００４８】
上記各実施形態においては、発泡プラスチックを素材とする中実体で浮力体２を構成する例を示したが、浮力体２の素材や構造は、このようなものには限定されない。浮力体２は比重の小さい木材（例えばバルサ材や桐材）のような自然素材で構成されても良い。浮力体２は中実構造を備えるものには限定されない。浮力体２は中空構造を備えるものであっても良い。また、透光性のある素材で構成された中空体を浮力体２とする場合に、浮力体２の内部に発光手段（例えば、ＬＥＤランプやケミカルライト）を内蔵して、夜釣りの際の目印としても良い。
【００４９】
上記各実施形態においては、糸通し環３と軸部材７を結合する手段と、軸部材７と錘片収容部８を結合する手段について具体的な説明をしなかったが、これらの結合手段については、公知の手段を任意に選択して使用することができる。例えば、糸通し環３と軸部材７はろう付や溶接によって結合されても良いし、カシメや焼嵌めによって結合されても良い。あるいは、糸通し環３は軸部材７にねじ止めされていても良い。あるいは、例えば、ダイカスト鋳造等によって、糸通し環３と軸部材７を最初から一体に製造しても良い。軸部材７と錘片収容部８を結合する手段についても同様である。
【００５０】
上記各実施形態においては、キャップ１０を錘片収容部８の基部９に着脱自在に取り付ける手段についても、具体的な説明をしなかったが、かかる手段についても、各種の公知手段を任意に選択して使用することができる。例えば、キャップ１０の内面に雌ねじを、基部９の外面に雄ねじをそれぞれ形成して、基部９をキャップ１０にねじ込むようにしても良い。あるいは、キャップ１０を基部９に被せると、キャップ１０自体の弾性でキャップ１０が基部９に緊結されるようにしても良い。
【００５１】
上記各実施形態においては、錘片１１の具体例として、鉛板の小片を例示したが、錘片１１は板材から切り出されたものには限定されない。また錘片１１を構成する素材は鉛には限定されない。錘片１１を構成する素材は鉛以外の金属材料であっても良いし、非金属材料であっても良い。つまり、錘片１１は錘片収容部８に収容できるような寸法を有する、錘の「欠片」あるいは「小塊」であれば十分であり、素材や形状は限定されない。例えば、金属線を短く切断したものを錘片１１としても良い。あるいは、俗に、「ガン玉」と呼ばれる鉛玉のような、球状の金属の小塊を錘片１１としても良い。
【００５２】
上記各実施形態においては、軸部材７と錘片収容部８（基部９とキャップ１０）がステンレス鋼で構成される例を示したが、これらの素材はステンレス鋼には限定されない。これらの素材は、その他の金属材料であっても良いし、非金属材料であっても良い。例えば、錘片収容部８はプラスチックで構成されても良い。
【００５３】
また、錘片収容部８を備える代わりに、あるいは錘片収容部８に加えて、浮力体２の内部に重錘を備えるようにしても良い。例えば、浮力体２を中空構造にして、浮力体２の内部に重錘を収容するようにしても良い。また、浮力体２を上部と下部に分割するとともに、上部と下部が互いに分解及び結合されるように構成して、重錘の交換や増減ができるようにしても良い。
【００５４】
また、上記各実施形態においては、釣り用浮子１を使用して全遊動仕掛け１２を構成する例を示したが、釣り用浮子１の用途は全遊動釣法には限定されない。釣り用浮子１を使用して半遊動仕掛けを構成することもできる。つまり、図３（ａ），（ｂ）に示した仕掛けにおいて、釣り糸１３にウキ止め糸やシモリ玉を取り付けて、釣り用浮子１が移動する範囲を制限するようにしても良い。
【００５５】
また、上記各実施形態においては、釣り用浮子１を餌釣りに使用する例を示したが、釣り用浮子１の用途は餌釣りには限定されない。釣り用浮子１をルアー釣りに使用することもできる。つまり、図３（ａ），（ｂ）に示した仕掛けにおいて、釣り針１６と餌１９に代えて、ルアー（疑似餌）を取り付けても良い。
【００５６】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【００５７】
本出願は、２０１６年１０月２１日に出願された、日本国特許出願２０１６−２０６６６５号に基づく。本明細書中に日本国特許出願２０１６−２０６６６５号の明細書、特許請求の範囲、図面全体を参照として取り込むものとする。
【符号の説明】
【００５８】
１  釣り用浮子
２  浮力体
３  糸通し環
４  中心軸
５  凹部
６  貫通孔
７  軸部材
８  錘片収容部
９  基部
１０  キャップ
１１  錘片
１２  全遊動仕掛け
１３  釣り糸
１４  錘
１５  ハリス
１６  釣り針
１７  釣り竿
１８  リール
１９  餌
２０  魚
２１  第２の凹部
３０  実験装置
３１  水槽
３２  竿先
３３  アタリ再現装置
３３ａ  保持錘
３３ｂ  保持ライン
３３ｃ  浮力体
３３ｄ  負荷ライン
３３ｅ  負荷錘
３３ｆ  補助ライン
３３ｇ  中間点
３４  釣り糸
３５  釣り用浮子
３６  釣り用浮子拘束板
３６ａ  糸通しスリット
Ｒ  曲率半径
ＷＬ  水線（水面高さ）
【図１】
2018074067.tif 000005
【図２】
2018074067.tif 000006
【図３】
2018074067.tif 000007
【図４】
2018074067.tif 000008
【図５】
2018074067.tif 000009
【国際調査報告】
2018074067.tif 000010
2018074067.tif 000011